(57)【要約】【課題】  秒針規正時に規正レバーで回転を規正される歯車が、規正した瞬間の角度位置で確実に停止するようにすること。【解決手段】  四番車を秒針規正する秒針規正機構は、四番車２３と一体に回転し且つ停止するように配置された規正円盤３０を含む。巻真１４を1段目に引き出すと、おしどり１６とかんぬき１７が回転し、規正レバー３１を回転枢軸３２の回りに回転させ、規正レバー３１の規正部３１ａは規正円盤３０の周面に押付けられる。すると、規正円盤３０はその角度位置で回転を停止し、四番車２３の回転が規正される。【選択図】  図１
2005283338.tif 000002
【特許請求の範囲】
【請求項１】
モータにより輪列を駆動して時針と分針と秒針を回転させ秒単位までの時刻を表示するアナログ時計において、
秒針規正時に回転を規正される歯車と一体に回転し且つ停止するように規正円盤を配置し、
前記規正円盤を規正レバーによって規正するようにしたことを特徴とする秒針規正機構付きアナログ時計。
【請求項２】
モータにより輪列を駆動して時針と分針と秒針を回転させ秒単位までの時刻を表示するアナログ時計において、
秒針規正時に回転を規正される歯車と一体に回転し且つ停止するように配置された規正円盤と、規正部を有する規正レバーと、通常運針時には前記規正部を前記規正円盤の周面から離間させた位置に保持し且つ秒針規正時には前記規正部を前記規正円盤の周面に押付けるように前記規正レバーを駆動する規正レバー駆動機構を含んで構成された秒針規正機構を備えたことを特徴とする秒針規正機構付きアナログ時計。
【請求項３】
秒針が時針並びに分針と同軸に配置され、モータにより輪列を駆動して時針と分針と秒針を回転させ秒単位までの時刻を表示するアナログ時計において、
秒針規正時に回転を規正される四番車と一体に回転し且つ停止するように配置された規正円盤と、規正部を有する規正レバーと、通常運針時には前記規正部を前記規正円盤の周面から離間させた位置に保持し且つ秒針規正時には前記規正部を回転移動させて前記規正円盤の周面に押付けるように前記規正レバーを駆動する規正レバー駆動機構を含んで構成された秒針規正機構を備えたことを特徴とする秒針規正機構付きアナログ時計。
【請求項４】
秒針が時針並びに分針と同軸に配置され、モータにより輪列を駆動して時針と分針と秒針を回転させ秒単位までの時刻を表示するアナログ時計において、
秒針規正時に回転を規正される五番車と一体に回転し且つ停止するように配置された規正円盤と、規正部を有する規正レバーと、通常運針時には前記規正部を前記規正円盤の周面から離間させた位置に保持し且つ秒針規正時には前記規正部を回転移動させて前記規正円盤の周面に押付けるように前記規正レバーを駆動する規正レバー駆動機構を含んで構成された秒針規正機構を備えたことを特徴とする秒針規正機構付きアナログ時計。
【請求項５】
秒針が時針並びに分針と離れて配置され、モータにより輪列を駆動して時針と分針と秒針を回転させ秒単位までの時刻を表示するアナログ時計において、
秒針規正時に回転を規正される秒車と一体に回転し且つ停止するように配置された規正円盤と、規正部を有する規正レバーと、通常運針時には前記規正部を前記規正円盤の周面から離間させた位置に保持し且つ秒針規正時には前記規正部を直線移動させて前記規正円盤の周面に押付けるように前記規正レバーを駆動する規正レバー駆動機構を含んで構成された秒針規正機構を備えたことを特徴とする秒針規正機構付きアナログ時計。
【請求項６】
秒針が時針並びに分針と離れて配置され、モータにより輪列を駆動して時針と分針と秒針を回転させ秒単位までの時刻を表示するアナログ時計において、
秒針規正時に回転を規正される秒中間車と一体に回転し且つ停止するように配置された規正円盤と、規正部を有する規正レバーと、通常運針時には前記規正部を前記規正円盤の周面から離間させた位置に保持し且つ秒針規正時には前記規正部を直線移動させて前記規正円盤の周面に押付けるように前記規正レバーを駆動する規正レバー駆動機構を含んで構成された秒針規正機構を備えたことを特徴とする秒針規正機構付きアナログ時計。
【請求項７】
前記規正レバー駆動機構は、巻真と、前記巻真の直線運動を回転運動に変換する運動変換部品とを含むものであることを特徴とする請求項２乃至５のいずれかに記載の秒針規正機構付きアナログ時計。
【発明の詳細な説明】
【技術分野】
【０００１】
本発明は、時刻合わせの開始時に秒針の運針を強制的に規正し、時刻合わせ終了時に規正を解除する秒針規正機構を備えたアナログ時計に関する。
【背景技術】
【０００２】
時針と分針に加えて秒針を備えた時計において、何時何分何秒と秒の単位まで正確な時刻を必要とする利用者は、以下のような手順で時刻合わせを行う。先ず、秒針が００秒の位置にきたときに、巻真を引き出して秒針の運針を強制的に停止させる。この状態で巻真を回転させて、直近の正時の時刻、例えば１１時００分に時針と分針を合わせる。そして、１１時００分００秒のラジオの時報に合わせて巻真を押し込んで、停止している秒針の運針を解除し、時刻合わせを完了する。
【０００３】
従来の秒針規正機構は、特開平１０−２８８６７８号公報（特許文献１）の図５に開示されている如く、規正される歯車の歯先に規正レバーの規正部を押付けて、その回転を規正する機構である。規正レバーは、通常運針時には、前記規正部が規正される歯車の歯先から離間するように配置されている。秒針規正時に巻真を一段目に引き出すと、おしどりなどの力伝達部品を介して規正レバーが回転し、その規正部を規正される歯車の歯先に押付けてその回転を規正する。なお、上述の規正される歯車は、秒針の運針に関わる四番車や五番車である。
【０００４】
また、特開２００４−２０４２２号公報（特許文献２）の図１８に開示されている従来の秒針規正機構は、小秒中間車の歯先に規正レバーの規正部を押付けて、その回転を規正する機構である。規正レバーは、通常運針時には、前記規正部が小秒中間車の歯先から離間するように配置されている。秒針規正時に巻真を一段目に引き出すと、おしどりなどの力伝達部品を介して規正レバーが直線移動し、その規正部を規正される歯車の歯先に押付けてその回転を規正する。
【０００５】
ところで、規正される歯車の歯先に規正レバーの規正部を押付けて秒針規正した場合、隣り合う２歯の先端部分に前記規正部が同時に触れると、前記規正される歯車はその位置で停止する。しかし、隣り合う２歯の先端部分に前記規正部が同時に触れることよりも、１歯の先端部分に前記規正部が触れる場合の方が多い。後者の場合、前記規正される歯車はその位置で停止しないで、前記規正部が前記１歯とその隣接する歯のいずれか一方の歯に接触するように前記規正される歯車は少しだけ回転する傾向がある。即ち、１歯の先端部分でなく、規正部が２歯に落ち着く位置まで、前記規正される歯車は少しだけ回転する傾向がある。すると、本来の運針時に文字板の目盛に合っていた秒針が若干ずれてしまうという問題がある。
【０００６】
例えば、規正される歯車が４０歯の四番車であれば、隣り合う歯の角度間隔は9度（360度÷40）であり、規正レバーの規正部が2歯に接触して落ち着く位置はその半分の4.5度（9度÷2）である。つまり、規正レバーの規正部が４０歯の四番車の１歯の先端部分に触れた位置から4.5度だけ更に回転して、前記四番車は停止するのである。文字板の秒目盛は6度であるから、0.75目盛（4.5÷6）だけ、秒目盛が規正位置からずれるという不具合が生じることになる。例えば、秒針が００秒の位置にきたときに、巻真を引き出して秒針の運針を強制的に停止させた場合、秒針は００秒の位置から0.75目盛ずれた位置で停止することになる。
【特許文献１】特開平１０−２８８６７８号公報の図５
【特許文献２】特開２００４−２０４２２号公報の図１８及び段落番号０１２８の記載
【発明の開示】
【発明が解決しようとする課題】
【０００７】
本発明が解決しようとする課題は、秒針規正機構を備えたアナログ時計において、秒針規正時に規正レバーによって回転を規正される歯車が、規正した瞬間の角度位置で確実に停止するようにすることである。
【課題を解決するための手段】
【０００８】
上記課題を解決するために、規正される歯車と一体に回転し且つ停止するように配置された規正円盤の周面に、規正レバーの規正部を押付けて前記規正される歯車を規正するようにした。
【発明の効果】
【０００９】
本発明により、秒針規正時に規正レバーで回転を規正される歯車が、規正した瞬間の角度位置で確実に停止するようになった。従って、本発明に係る秒針規正機構を備えたアナログ時計においては、秒針規正時に秒針の指針ずれがなくなった。
【発明を実施するための最良の形態】
【００１０】
本発明は、モータにより輪列を駆動して秒単位までの時刻を表示するアナログ時計において、次のような構成の秒針規正機構を備えたことを特徴とするものである。即ち、前記秒針規正機構は、秒針規正時に回転を規正される歯車と一体に回転し且つ停止するように配置された規正円盤と、規正部を有する規正レバーと、通常運針時には前記規正部を前記規正円盤の周面から離間させた位置に保持し且つ秒針規正時には前記規正円盤の周面に押付けるように前記規正レバーを駆動する規正レバー駆動機構とを含んで構成されたものである。
【実施例１】
【００１１】
実施例１のアナログ時計は、図１の平面図と図２の断面図に示す如く、地板１１の中心位置に時針、分針及び秒針の回転軸が同軸に配置された中三針型アナログ時計、即ちステップモータのロータの回転によって輪列を駆動し時針と分針と秒針を回転させ秒単位までの時刻を表示するアナログ時計に、四番車を秒針規正する秒針規正機構を備えたものである。
【００１２】
前記輪列は、輪列受１２と第２輪列受１３に回転可能に取付けられた五番車２２、四番車２３、三番車２４、二番車２５を含む。ロータ２１は、例えば１秒毎に１８０度回転するステップモータのロータである。ロータ２１の回転に基づいて五番車２２が回転し、五番車２２の回転に基づいて四番車２３が回転するように構成されている。また、四番車の回転に基づいて三番車２４が回転し、三番車２４の回転に基づいて二番車２５が回転するように構成されている。時針、分針、秒針のそれぞれの回転中心は、四番車２３の回転中心と同じである。秒針は四番車の回転軸に取付けられ、分針は二番車の筒かなに取付けられている。時針は中心パイプに取付けられ、筒車２６と二番車２５を介して回転駆動される。
【００１３】
四番車を秒針規正する秒針規正機構は、四番車２３と一体に回転し且つ停止するように配置された規正円盤３０と、規正円盤３０を規正する規正レバー３１、及び規正レバー３１を回転駆動する規正レバー駆動機構で構成されている。規正円盤３０は、四番車２３の四分の一程度の径を有し且つ３倍程度の厚みを有する円盤である。規正円盤３０は、その上面を四番車２３の下面に接触させて、四番車２３の回転軸に同軸にして固着されている。
【００１４】
規正レバー３１は先端に規正部３１ａを有する部品である。通常運針時には、規正レバー３１の規正部３１ａは規正円盤３０の周面から離間している。巻真１４を1段目に引き出すと、おしどり１６とかんぬき１７が回転し、規正レバー３１を回転枢軸３２の回りに回転させる。すると、規正レバー３１の規正部３１ａは規正円盤３０の周面に押付けられ、規正円盤３０はその角度位置で回転を停止し、従って四番車２３の回転が規正される。
【００１５】
実施例１において、規正部３１ａを回転移動させるように規正レバー３１を駆動する規正レバー駆動機構は、巻真１４と、おしどり１６やかんぬき１７の如き力伝達部品によって構成されている。この規正レバー駆動機構は、規正時に規正レバーを回転させてその規正部を四番車の歯先に押付けて規正する従来の秒針規正機構に用いられている規正レバー駆動機構、例えば特許文献１の図５に開示されているものと基本的には同じものが利用できる。なお、本実施例を含めて以下の実施例においては、電気的エネルギーを駆動源する電子式アナログ時計を使用した場合であるが、機械的エネルギーを動力源とする機械式アナログ時計においても、これらの実施例を採用することが可能である。
【実施例２】
【００１６】
実施例２のアナログ時計は、図３の平面図と図４の断面図に示す如く、地板１１の中心位置に時針、分針及び秒針の回転軸が同軸に配置された中三針型アナログ時計、即ちステップモータのロータの回転によって輪列を駆動し時針と分針と秒針を回転させ秒単位までの時刻を表示するアナログ時計に、五番車を秒針規正する秒針規正機構を備えたものである。
【００１７】
前記輪列は、輪列受１２と第２輪列受１３に回転可能に取付けられた五番車２２、四番車２３、三番車２４、二番車２５を含む。ロータ２１は、例えば１秒毎に１８０度回転するステップモータのロータである。ロータ２１の回転に基づいて五番車２２が回転し、五番車２２の回転に基づいて四番車２３が回転するように構成されている。また、四番車２３の回転に基づいて三番車２４が回転し、三番車２４の回転に基づいて二番車２５が回転するように構成されている。時針、分針、秒針のそれぞれの回転中心は、四番車２３の回転中心と同じである。秒針は四番車の回転軸に取付けられ、分針は二番車の筒かなに取付けられている。時針は中心パイプに取付けられ、筒車２６と二番車２５を介して回転駆動される。
【００１８】
五番車を秒針規正する秒針規正機構は、五番車２２と一体に回転し且つ停止するように配置された規正円盤３０と、規正円盤３０を規正する規正レバー３１、及び規正レバー３１を回転駆動する規正レバー駆動機構で構成されている。規正円盤３０は、五番車２２よりも多少大きい径を有し且つ同程度の厚みを有する円盤である。規正円盤３０は、その下面を五番車２２の上面に接触させて、五番車２２の回転軸に同軸にして固着されている。
【００１９】
規正レバー３１は先端に規正部３１ａを有する部品である。通常運針時には、規正レバー３１の規正部３１ａは規正円盤３０の周面から離間している。巻真１４を1段目に引き出すと、おしどり１６とかんぬき１７が回転し、規正レバー３１を回転枢軸３２の回りに回転させる。すると、規正レバー３１の規正部３１ａは規正円盤３０の周面に押付けられ、規正円盤３０はその角度位置で回転を停止し、従って五番車２２の回転が規正される。
【００２０】
実施例２において、規正部３１ａを回転移動させるように規正レバー３１を駆動する規正レバー駆動機構は、巻真１４と、おしどり１６やかんぬき１７の如き力伝達部品によって構成されている。この規正レバー駆動機構は、規正時に規正レバーを回転させてその規正部を五番車の歯先に押付けて規正する従来の秒針規正機構に用いられている規正レバー駆動機構、例えば特許文献１の図５に開示されているものと基本的には同じものが利用できる。
【実施例３】
【００２１】
実施例３のアナログ時計は、図５の平面図と図６の断面図に示す如く、地板１１の中心位置に時針と分針の回転軸が同軸に配置され、地板１１の中心位置から３時方向に離れた位置に秒針の回転軸が配置された小秒針型アナログ時計、即ち、ステップモータのロータの回転によって輪列を駆動し時針と分針と秒針を回転させ秒単位までの時刻を表示するアナログ時計に、秒車を秒針規正する秒針規正機構を備えたものである。
【００２２】
前記輪列は、輪列受１２と第２輪列受１３に回転可能に取付けられた五番車２２、四番車２３、三番車２４、二番車２５、第１秒中間車２７、第２秒中間車２８を含む。ロータ２１は、例えば１秒毎に１８０度回転するステップモータのロータである。ロータ２１の回転に基づいて五番車２２が回転し、五番車２２の回転に基づいて四番車２３と第１小秒中間車１６が回転するように構成されている。また、四番車２３の回転に基づいて三番車２４が回転し、三番車２４の回転に基づいて二番車２５が回転するように構成されている。更に、第１秒中間車２７の回転に基づいて第２秒中間車２８が回転し、第２秒中間車２８の回転に基づいて秒車２９が回転するように構成されている。時針と分針のそれぞれの回転中心は、五番車２２の回転中心と同じである。秒針は、五番車２２の回転中心から３時方向に離れた位置に配置されている秒車２９の回転軸に取付けられている。分針は二番車の筒かなに取付けられている。時針は中心パイプに取付けられ、筒車２６と二番車２５を介して回転駆動される。
【００２３】
秒車を秒針規正する秒針規正機構は、秒車２９と一体に回転し且つ停止するように配置された規正円盤３０と、規正円盤３０を規正する規正レバー３１、及び規正レバー３１を直線駆動する規正レバー駆動機構で構成されている。規正円盤３０は、秒車２９の四分の一程度の径を有し且つ３倍程度の厚みを有する円盤である。規正円盤３０は、その下面を秒車２９の上面に接触させて、秒車２９の回転軸に同軸にして固着されている。
【００２４】
規正レバー３１は規正レバー３１Ａと規正レバー３１Ｂの２つの部品で構成されている。規正レバー３１Ａは回転枢軸３２の回りに回転する部品であり、規正レバー３１Ｂは先端に規正部３１ａを有する部品である。規正レバー３１Ｂには、その規正部３１ａ側の端部に案内窓部３１ｂが、且つ反対側の端部には案内窓部３１ｃと作動窓部３１ｄが形成されている。作動窓部３１ｄには規正レバー３１Ａの端部に取付けられている作動ピンが係合している。また、案内窓部３１ｂと案内窓部３１ｃは、地板１１に形成された案内ピンに係合している。
【００２５】
通常運針時には、規正レバー３１の規正部３１ａは規正円盤３０の周面から離間している。巻真１４を1段目に引き出すと、おしどり１６とかんぬき１７が回転し、規正レバー３１Ａは回転枢軸３２の回りに回転させ、規正レバー３１Ａは規正レバー３１Ｂを直線移動させる。すると、規正レバー３１Ｂの規正部３１ａは規正円盤３０の周面に押付けられ、規正円盤３０はその角度位置で回転を停止し、従って秒車２９の回転が規正される。
【００２６】
実施例３において、規正部３１ａを直線移動するように規正レバー３１を駆動する規正レバー駆動機構は、巻真１４と、おしどり１６やかんぬき１７の如き力伝達部品によって構成されている。この規正レバー駆動機構は、規正時に規正レバーを直線移動させてその規正部を秒車の歯先に押付けて規正する従来の秒針規正機構に用いられている規正レバー駆動機構、例えば特許文献２の図２２に開示されているものと基本的には同じものが利用できる。
【実施例４】
【００２７】
実施例４のアナログ時計は、図７の平面図と図８の断面図に示す如く、地板１１の中心位置に時針と分針の回転軸が同軸に配置され、地板１１の中心位置から３時方向に離れた位置に秒針の回転軸が配置された小秒針型アナログ時計、即ち、ステップモータのロータの回転によって輪列を駆動し時針と分針と秒針を回転させ秒単位までの時刻を表示するアナログ時計に、秒中間車を秒針規正する秒針規正機構を備えたものである。
【００２８】
前記輪列は、輪列受１２と第２輪列受１３に回転可能に取付けられた五番車２２、四番車２３、三番車２４、二番車２５、第１秒中間車２７、第２秒中間車２８を含む。ロータ２１は、例えば１秒毎に１８０度回転するステップモータのロータである。ロータ２１の回転に基づいて五番車２２が回転し、五番車２２の回転に基づいて四番車２３と第１小秒中間車２７が回転するように構成されている。また、四番車２３の回転に基づいて三番車２４が回転し、三番車２４の回転に基づいて二番車２５が回転するように構成されている。更に、第１秒中間車２７の回転に基づいて第２秒中間車２８が回転し、第２秒中間車２８の回転に基づいて秒車２９が回転するように構成されている。時針と分針のそれぞれの回転中心は、五番車２２の回転中心と同じである。秒針は、五番車２２の回転中心から３時方向に離れた位置に配置されている秒車２９の回転軸に取付けられている。分針は二番車の筒かなに取付けられている。時針は中心パイプに取付けられ、筒車２６と二番車２５を介して回転駆動される。
【００２９】
秒中間車を秒針規正する秒針規正機構は、第２秒中間車２８と一体に回転し且つ停止するように配置された規正円盤３０と、規正円盤３０を規正する規正レバー３１、及び規正レバー３１を直線駆動する規正レバー駆動機構で構成されている。規正円盤３０は、第２秒中間車２８よりも少し大きな径で且つ四分の一程度の厚みの円盤である。規正円盤３０は、その上面を第２秒中間車２８の下面に接触させて、第２秒中間車２８の回転軸に同軸にして固着されている。
【００３０】
規正レバー３１は規正レバー３１Ａと規正レバー３１Ｂの２つの部品で構成されている。規正レバー３１Ａは回転枢軸３２の回りに回転する部品であり、規正レバー３１Ｂは先端に規正部３１ａを有する部品である。規正レバー３１Ｂには、その規正部３１ａ側の端部に案内窓部３１ｂが、且つ反対側の端部には案内窓部３１ｃと作動窓部３１ｄが形成されている。作動窓部３１ｄには規正レバー３１Ａの端部に取付けられている作動ピンが係合している。また、案内窓部３１ｂと案内窓部３１ｃは、地板１１に形成された案内ピンに係合している。
【００３１】
通常運針時には、規正レバー３１Ｂの規正部３１ａは規正円盤３０の周面から離間している。巻真１４を1段目に引き出すと、おしどり１６とかんぬき１７が回転し、規正レバー３１Ａは回転枢軸３２の回りに回転させ、規正レバー３１Ａは規正レバー３１Ｂを直線移動させる。すると、規正レバー３１Ｂの規正部３１ａは規正円盤３０の周面に押付けられ、規正円盤３０はその角度位置で回転を停止し、従って秒車２９の回転が規正される。
【００３２】
実施例４において、規正部３１ａを直線移動するように規正レバー３１を駆動する規正レバー駆動機構は、巻真１４と、おしどり１６やかんぬき１７の如き力伝達部品によって構成されている。この規正レバー駆動機構は、規正時に規正レバーを直線移動させてその規正部を秒中間車の歯先に押付けて規正する従来の秒針規正機構に用いられている規正レバー駆動機構、例えば特許文献２の図２４に開示されているものと基本的には同じものが利用できる。
【図面の簡単な説明】
【００３３】
【図１】四番車を規正する秒針規正機構を備えた本発明の実施例１のアナログ時計の要部の平面図である。
【図２】四番車を規正する秒針規正機構を備えた本発明の実施例１のアナログ時計の要部の断面図である。
【図３】五番車を規正する秒針規正機構を備えた本発明の実施例２のアナログ時計の要部の平面図である。
【図４】五番車を規正する秒針規正機構を備えた本発明の実施例２のアナログ時計の要部の断面図である。
【図５】秒車を規正する秒針規正機構を備えた本発明の実施例３のアナログ時計の要部の平面図である。
【図６】秒車を規正する秒針規正機構を備えた本発明の実施例３のアナログ時計の要部の断面図である。
【図７】秒中間車を規正する秒針規正機構を備えた本発明の実施例４のアナログ時計の要部の平面図である。
【図８】秒中間車を規正する秒針規正機構を備えた本発明の実施例４のアナログ時計の要部の断面図である。
【符号の説明】
【００３４】
１１  地板
１２  輪列受
１３  第２輪列受
１４  巻真
１５  つづみ車
１６  おしどり
１７  かんぬき
１８  小鉄車
１９  日の裏車
２０  スイッチばね
２１  ロータ
２２  五番車
２３  四番車
２４  三番車
２５  二番車
２６  筒車
２７  第１秒中間車
２８  第２秒中間車
２９  秒車
３０  規正円盤
３１，３１Ａ，３１Ｂ  規正レバー
３１ａ  規正部
３１ｂ，３１ｃ  案内窓部
３１ｄ  作動窓部
３２  回転枢軸
３３，３４  案内ピン
【図１】
2005283338.tif 000003
【図２】
2005283338.tif 000004
【図３】
2005283338.tif 000005
【図４】
2005283338.tif 000006
【図５】
2005283338.tif 000007
【図６】
2005283338.tif 000008
【図７】
2005283338.tif 000009
【図８】
2005283338.tif 000010